(57)【要約】      （修正有）【課題】意匠性に富んだ照明装置を提供する。【解決手段】照明装置１は、板状部材５０と、板状部材５０の下面５８ａよりも当該下面５８ａが臨む領域側に突出するように配置された光拡散部材（発光部の一部）１６とを備える。そして、板状部材５０の下面５８ａ全体が鏡面である。【選択図】図１
2014130765.tif 000002
【特許請求の範囲】
【請求項１】
板状部材と、
少なくとも一部が前記板状部材の主面よりも当該主面が臨む領域側に突出するように配置された発光部とを備え、
前記主面の少なくとも前記発光部の周囲が鏡面である
ことを特徴とする照明装置。
【請求項２】
前記発光部を収納する筐体を更に備え、
前記筐体は、有底筒状であり且つ筒軸方向における開口側とは反対側の角部に前記筒軸方向における前記開口側に窪んでなる段部が設けられ、
前記板状部材は、開口部を有し且つ当該開口部の外周部が前記段部に掛止された状態で前記筐体に取着されている
ことを特徴とする請求項１記載の照明装置。
【請求項３】
前記板状部材は、透光性材料を用いて形成され、
前記発光部の一部は、前記開口部の内側に配置されている
ことを特徴とする請求項２記載の照明装置。
【請求項４】
前記発光部における前記開口部の内側に配置される部位は、平面視円形であり、
前記板状部材は、平面視円環状であり、前記開口部が平面視円形であり且つ中央部に設けられている
ことを特徴とする請求項３記載の照明装置。
【請求項５】
前記板状部材は、前記主面とは反対側の他面の少なくとも一部が鏡面である
ことを特徴とする請求項４記載の照明装置。
【請求項６】
前記板状部材は、外側端面に光拡散処理が施されている
ことを特徴とする請求項４または請求項５記載の照明装置。
【請求項７】
前記発光部における前記板状部材の前記主面よりも当該主面が臨む領域側に突出した部位の突出量の最大値は、前記筐体および前記発光部からなる構造体の厚みの１／２に比べて小さい
ことを特徴とする請求項２乃至６のいずれか１項に記載の照明装置。
【請求項８】
前記板状部材の厚みは、前記開口部から径方向に離れるにつれて漸次減少している
ことを特徴とする請求項１乃至７のいずれか１項に記載の照明装置。
【発明の詳細な説明】
【技術分野】
【０００１】
本発明は、いわゆるペンダントタイプの照明装置に関し、特に、意匠性向上を図る技術に関する。
【背景技術】
【０００２】
従来、天井からコードにより吊り下げられた状態で使用されるいわゆるペンダントタイプの照明装置であって、ＬＥＤ（Ｌｉｇｈｔ  Ｅｍｉｔｔｉｎｇ  Ｄｉｏｄｅ）を用いたものが提案されている（特許文献１参照）。
この特許文献１に記載された照明装置は、略中央部に開口部を有する円板状の導光部材と、導光部材の開口部の内側に配置された複数のＬＥＤと、導光部材の表面を覆う光拡散部材と、導光部材の開口部を覆う遮光カバーとを備える。この照明装置は、遮光カバーによりＬＥＤ（いわゆる点状の発光部）からの光が直接外部に放射されるのを防止して導光部材および光拡散部材を通った光のみを外部に放射させる。これにより、点灯中における照明装置は、恰も円環状の発光部を有するような外観を呈する。
【先行技術文献】
【特許文献】
【０００３】
【特許文献１】特開２０１１−２２２５２４号公報
【発明の開示】
【発明が解決しようとする課題】
【０００４】
ところで、近年では、ユーザ嗜好の多様化に伴い、照明装置の外観も多種多様なものとなってきている。従って、照明装置の提供業者にとっては、より多くの顧客を惹きつけるような斬新な外観を有する照明装置の実現が求められつつある。そして、ユーザは、一般的に、点灯中における発光部の見え方がより斬新な照明装置を好む傾向にある。例えば、点灯中における発光部が、恰も宙に浮かんでいるように見えれば、ユーザは照明装置が天井からコードにより吊り下げられていることを感じない。いわゆるペンダントタイプの照明装置は、天井からコードにより吊り下げられているのが一般的である。従って、点灯中における発光部が恰も中に浮かんでいるように見える照明装置は、ユーザに斬新な印象を与えることは略間違いなくその実現が望まれているものである。
【０００５】
本発明は、上記事由に鑑みてなされたものであり、意匠性に富んだ照明装置を提供することを目的とする。
【課題を解決するための手段】
【０００６】
本発明の一態様に係る照明装置は、板状部材と、少なくとも一部が板状部材の主面よりも当該主面が臨む領域側に突出するように配置された発光部とを備え、主面の少なくとも発光部の周囲が鏡面である。
【発明の効果】
【０００７】
本構成によれば、板状部材の主面の少なくとも発光部の周囲が鏡面であることにより、点灯中において、発光部における板状部材の主面よりも当該主面が臨む領域側に突出した部位（以下、「突出部位」と称する。）が板状部材の上記一面に映る。ここにおいて、点灯中の照明装置を上記主面側から見上げているユーザには、実際の上記突出部位とともに、板状部材の上記主面に映った上記突出部位の虚像が見える。そして、ユーザには上記虚像が恰も発光部の一部を構成し、発光部全体が宙に浮かんでいるように見えるので、ユーザに対して点灯中における発光部の見え方が斬新な印象を与えることができる。つまり、意匠性に富んだ照明装置を実現することができる。
【図面の簡単な説明】
【０００８】
【図１】実施の形態に係る照明装置の斜視図。
【図２】実施の形態に係る照明装置の分解斜視図。
【図３】実施の形態に係る照明装置の一部破断した側面図。
【図４】実施の形態に係る筐体の断面斜視図。
【図５】実施の形態に係る発光モジュールの斜視図。
【図６】実施の形態に係る反射部材の斜視図。
【図７】実施の形態に係る導光部材の斜視図。
【図８】実施の形態に係る光拡散部材の斜視図。
【図９】実施の形態に係る板状部材の斜視図。
【図１０】実施の形態に係る照明装置について、（ａ）は点灯中に光源ユニットの光拡散部材のうち板状部材の下面から下方に突出した部位から放射される光の一部の光路を示す図、（ｂ）は点灯中に斜め下方から見た場合の外観を示す斜視図。
【図１１】実施の形態に係る照明装置の光学的特性を説明するための図。
【図１２】変形例に係る照明装置の側面図。
【図１３】変形例に係る照明装置の側面図。
【発明を実施するための形態】
【０００９】
＜実施の形態＞
＜１＞構成
本実施の形態に係る照明装置１の斜視図を図１に示し、分解斜視図を図２に示し、一部破断した側面図を図３に示す。
照明装置１は、天井から吊り下げられて使用されるいわゆるペンダントタイプの照明装置である。以下、この明細書では、照明装置１の主光出射方向を下方向とし、当該主光出射方向と反対方向を上方向として説明する。
【００１０】
照明装置１は、主として、光源ユニット１０と、コード２０と、固定具３０と、カバー４０と、板状部材５０とを備える。
＜１−１＞光源ユニット
光源ユニット１０は、筐体１１と、発光モジュール１２と、反射部材１３と、導光部材１４と、光拡散部材１６とを備える。ここで、発光モジュール１２、反射部材１３、導光部材１４および光拡散部材１６から発光部が構成されている。
【００１１】
＜筐体＞
筐体１１は、発光モジュール１２と、反射部材１３と、導光部材１４とを収納する。
筐体１１は、有底円筒状の第１ケース部１１ａと、有底円筒状であり且つ底壁１１ｂａの略中央部に平面視円形の開口部を有し且つ外径が第１ケース部１１ａよりも大きい第２ケース部１１ｂとからなり、全体として略有底円筒状の形状を有する。言い換えれば、第１ケース部１１ａおよび第２ケース部１１ｂは、筒軸方向に直交する断面の形状が円形である。そして、第１ケース部１１ａの側壁１１ａｂと第２ケース部１１ｂの底壁１１ｂａとから段部１１ｈが形成されている。この段部１１ｈは、筐体１１の筒軸方向における開口側とは反対側の角部に当該筒軸方向における開口側に窪んでいる。
【００１２】
なお、第１ケース部１１ａおよび第２ケース部１１ｂは、筒軸方向に直交する断面の形状が円形であるものに限定されるものではなく、筒軸方向に直交する断面の形状が角形の有底筒状であってもよい。
図４に、実施の形態に係る筐体１１の断面斜視図を示す。
第１ケース部１１ａの底壁１１ａａには、底壁１１ａａの厚み方向における両側に突出する２つのボス１１ｆが設けられている。ボス１１ｆそれぞれには、螺子孔１１ｃが設けられている。また、底壁１１ａａの略中央部には、貫通孔１１ｇが貫設されている。この貫通孔１１ｇには、いわゆる栓タイプのパッキン１１１が嵌合されている。パッキン１１１には、コード２０の一端部で露出する後述の２本のリード線２２それぞれを挿通するための挿通孔１１１ａが２つ設けられている。
【００１３】
また、図２および図４に示すように、底壁１１ａａには、３つのボス１１ｄが設けられており、各ボス１１ｄには、後述の螺子１９ａが挿通される挿通孔１１ｄａが形成されている。ここで、ボス１１ｆおよび３つのボス１１ｄは、互いに補強用のリブ１１ｅを介して連続している。そして、各螺子１９ａは、ワッシャ１９ｂに挿通された状態でボス１１ｄの挿通穴１１ｄａに挿入され、反射部材１３の後述の３つのリブ１３ｅそれぞれに設けられた螺子孔１３ｄに螺着される。
【００１４】
この筐体１１は、例えば、金属材料や樹脂材料等から形成される。
＜発光モジュール＞
図５は、実施の形態に係る発光モジュール１２を示し、（ａ）は上側から見た斜視図、（ｂ）は下側から見た斜視図である。
発光モジュール１２は、外部から電力供給を受けて白色光を放射する。
【００１５】
発光モジュール１２は、基板１２ａと、基板１２ａ上に実装された複数（図５（ｂ）では１８個）の発光素子１２ｂとを備える。
基板１２ａは、略円板状に形成されている。基板１２ａの略中央部には、平面視円形の貫通孔１２ｃが貫設されている。また、基板１２ａにおける貫通孔１２ｃの周囲には、貫通孔１２ｃの周方向に沿って略等間隔に並ぶ３つの貫通孔１２ｄと、貫通孔１２ｃを挟む２箇所に位置する２つの貫通孔１２ｅとが設けられている。また、基板１２ａの下面には、発光素子１２ｂに外部電源から電力を供給するための受電端子１２ｆが配設されている。
【００１６】
発光素子１２ｂは、ＳＭＤ(Ｓｕｒｆａｃｅ  Ｍｏｕｎｔ  Ｄｅｖｉｃｅ)タイプのＬＥＤからなる。なお、発光素子１２ｂは、ＳＭＤタイプのＬＥＤに限定されるものではなく、ＣＯＢ(Ｃｈｉｐ  Ｏｎ  Ｂｏａｒｄ)タイプのＬＥＤを用いたものであってもよい。また、ＬＥＤの代わりに有機ＥＬ素子を用いてもよい。また、発光モジュール１２として、例えば、放射する光の色温度が互いに異なる複数種類の発光素子１２ｂを有するものを採用してもよい。この場合、各発光素子１２ｂから放射される光の光量を適宜調節することにより、発光モジュール１２から放射される白色光の色温度を変化させることができる。
【００１７】
図２および図３に示すように、発光モジュール１２は、基板１２ａにおける発光素子１２ｂが実装される側の面とは反対側の面が筐体１１の第１ケース部１１ａの底壁１１ａａに面接触した状態で筐体１１内に配置されている。ここにおいて、貫通孔１２ｃには、パッキン１１１が挿通され、貫通孔１２ｅには、筐体１１のボス１１ｆの一部が挿通された状態となる。
【００１８】
＜反射部材＞
図６は、反射部材１３を示し、（ａ）は上面側から見た斜視図、（ｂ）は下面側から見た斜視図である。
反射部材１３は、発光モジュール１２から放射される光の一部を下方に反射する。
反射部材１３は、略円盤状をしている。反射部材１３下面の周部には、反射部材１４の周方向に延伸する略円環状の溝部１３ａが形成されている。また溝部１３ａの底部には、周方向に沿って略等間隔に複数の貫通孔１３ｂが形成されている。この貫通孔１３ｂの数は、発光モジュール１２の発光素子１２ｂの数に等しい。
【００１９】
溝部１３ａは、底部から離れるに従って溝幅が漸次拡大するような断面形状を有する。そして、溝部１３ａの側面１３ｃが、発光素子１２ｂから放射される光を反射部材１３の上面側に反射する反射面を構成している。
また、反射部材１３の下面には、３つのリブ１３ｄが突設されている。そして、各リブ１３ｄの先端面には、螺子孔１３ｅが穿設されている。また、反射部材１３の上面における略中央には、一部切り欠いた円筒状の筒状部分１３ｆが設けられている。この筒状部分１３ｆは、パッキン１１１の挿通孔１１１ａに挿通された後述のリード線２２の位置を規制するためのものである。
【００２０】
反射部材１３は、金属材料や樹脂材料等から形成されている。樹脂材料としては、例えば、高光反射性ポリブチレンテレフタレート（ＰＢＴ）樹脂、高反射ポリカーボネート（ＰＣ）樹脂等が挙げられる。
図２および図３に示すように、反射部材１３は、その上面が発光モジュール１２の基板１２ａにおける発光素子１２ｂが実装される側の面に接触した状態で、発光モジュール１２の下側に配置される。ここにおいて、発光モジュール１２の発光素子１２ｂそれぞれが、各貫通孔１３ｂの内側に配置される。また、３つのリブ１３ｂそれぞれは、３つの貫通孔１２ｄそれぞれに挿通された状態となっている。
【００２１】
＜導光部材＞
図２に示すように、導光部材５１は、略円盤状の形成を有する。そして、導光部材５１は、光入射部を有しており、当該光入射部から内部に入射された光を導光部材５１における光入射部以外の部位にまで導く。
図７に、導光部材１４の断面斜視図を示す。
【００２２】
導光部材１４の上面には、上方に隆起する平面視略円環状の隆起部１４ａが形成されている。この隆起部１４ａの頂部１４ａａは、隆起部１４ａの周方向に沿って略鋸波状に波打つ形状をしている。この頂部１４ａａが、導光部材１４の光入射部に相当する。また、導光部材１４の上面における隆起部１４ａ以外の部位には、複数の凹部１４ｃが形成されている。この凹部１４ｃは、導光部材１４内を伝播する光を導光部材１４の下面側に散乱するためのものである。そして、導光部材１４の径方向における凹部１４ｃの深さや大きさの分布を適宜設定することにより、照明装置１の配光特性を所望の特性に設定することができる。また、導光部材１４下面の周部には、下方に突出する平面視略円環状の突起部１４ｂが形成されている。
【００２３】
導光部材１４は、透光性を有する樹脂材料やガラス、セラミックス等から形成されている。樹脂材料としては、例えば、アクリル樹脂、ポリカーボネート樹脂、ポリスチレン樹脂等が挙げられる。
図２および図３に示すように、導光部材１４は、その上面が反射部材１３の下面に接触した状態で、反射部材１３の下面側に配置される。ここにおいて、隆起部１４ａが、反射部材１３の溝部１３ａ内に配置され、隆起部１４ａの頂部１４ａａが反射部材１３の貫通孔１３ｂに対向している。
【００２４】
＜光拡散部材＞
光拡散部材１６は、導光部材１４から入射した光を拡散して光拡散部材１６の外面全体から放射する。
図８に、光拡散部材１６の斜視図を示す。
光拡散部材１６は、平面視略円形である碗状の形状を有し、周縁部１６ｃに近づくにつれて漸次肉厚が厚くなっている。光拡散部材１６の端部には、光拡散部材１６の周縁部１６ｃに沿って２つの溝部１６ａ、１６ｂが設けられている。
【００２５】
光拡散部材１６を形成する材料としては、例えば、一の透光性材料からなる基材に当該一の透光性材料とは屈折率が異なる他の透光性材料からなる粒子を分散させてなるものを用いればよい。ここで、透光性材料としては、例えばシリコーン樹脂、アクリル樹脂、ポリカーボネート樹脂の樹脂材料が挙げられる。また、光を散乱する材料として、例えば、乳白色ガラス（オパールガラス）、乳白ガラス等を用いてもよい。
【００２６】
図２および図３に示すように、光拡散部材１６の外側の溝部１６ｂには、円環状のパッキン１８が嵌入されている。これにより、筐体１１と光拡散部材１６とで囲まれた空間が気密に維持され、筐体１１内に収納された各構成部品の劣化を抑制することができる。
また、光拡散部材１６が導光部材１４の下面側に取着された状態で、導光部材１４の突起部１４ｂが、光拡散部材１６の内側の溝部１６ａに嵌入されている。ここにおいて、導光部材１４の突起部１４ｂに導光された光が、溝部１６ａの外側面１６ａａから光拡散部材１６の周縁部１６ｃに向かって入射し易くなっている。
【００２７】
＜１−２＞コード
図２に示すように、コード２０は、２本のリード線２２の一部を被覆部材で被覆したものである。コード２０の一端部では２本のリード線２２が露出した状態となっており、他端部には、天井に設置された接続器具に装着可能なアダプタ（図示せず）が取り付けられている。そして、コード２０の一端部における被覆部材で被覆された部分が、筐体１１に固定された固定具３０に挟持され、他端部に取り付けられたアダプタが接続器具に装着された状態では、光源ユニット１０、板状部材５０、固定具３０およびカバー４０がコード２０により支持された状態となる。また、光源ユニット１０には、２本のリード線２２を介して外部電源からの電力供給が行われる。なお、接続器具としては、例えば、引掛けシーリング、引掛けローゼット等が挙げられる。また、アダプタとしては、シーリングキャップやコンセントアダプタ等が挙げられる。
【００２８】
＜１−３＞固定具
図２および図３に示すように、固定具３０は、コード２０の一端部を保持する機能を有する。この固定具３０は、全体形状が碗状をした本体部３１と、本体部３１の周縁から外方に張り出した鍔部３３とを有する。また、本体部３１の底部には、コード２０を挿通させるための挿通孔３５が貫設されている。鍔部３３には、固定具３０を光源ユニット１０に取り付けるための螺子６０を挿通させるための複数（図２では２つ）の挿通孔３７が設けられている。そして、この挿通穴３７に挿通された螺子６０を筐体１１のボス１１ｆの螺子孔１１ｃに螺着することにより、固定具３０が筐体１１に固定される。
【００２９】
この固定具３０は、例えば、金属材料等から形成されている。
＜１−４＞カバー
カバー４０は、固定具３０を覆うように配置されている。カバー４０は、有底円筒状の本体部４１と、本体部４１の底壁の略中央部から突出する錐状部４３とからなる。そして、錐状部４３の内側には、固定具３０が配置されている。錐状部４３の先端には、コード２０を挿通させるための挿通孔４５が設けられている。
【００３０】
このカバー４０は、例えば、樹脂材料等から形成されている。
＜１−５＞板状部材
板状部材５０は、光散乱部材１６から放射された光の一部を下面５８ａで下方に反射するとともに、光散乱部材１６から放射された光の他の一部を外側端面５３まで導光して外側端面５３から放射する。
【００３１】
図９に、板状部材５０の斜視図を示す。
板状部材５０は、略中央部に開口部５２を有し且つ下面５８ａおよび上面５８ｂが鏡面である円板状の形状を有する。ここで、開口部５２は、板状部材５０の厚み方向における下面５８ａ側に位置する平面視円形状の第１開口部５２ａと、厚み方向における上面５８ａ側に位置し且つ第１開口部５２ａよりも開口径が小さい第２開口部５２ｂとから構成されている。第１開口部５２ａと第２開口部５２ｂとは、板状部材５０の厚み方向において中心が一致している。そして、第１開口部５２ａと第２開口部５２ｂとの間には、板状部材５０の厚み方向に直交する面５６が形成されている。
【００３２】
なお、「鏡面」とは、ＪＩＳ規格に基づく表面粗さの算術平均Ｒａが１０ｎｍ以下であることを意味する。
図２および図３に示すように、板状部材５０の第１開口部５２ａは、筐体１１の第２ケース部１１ｂの外径よりも若干小さくなるように設定されている。また、板状部材５０の第２開口部５２ｂは、筐体１１の第１ケース部１１ａの外径よりも若干大きく且つ筐体１１の第２ケース部１１ａの外径よりも小さくなるように設定されている。そして、板状部材５０は、第１開口部５２ａの内側に第２ケース部１１ｂ、第２開口部５２ｂの内側に第１ケース部１１ａが配置され、面５６が第２ケース部１１ｂの底壁１１ｂａの上面に面接触した状態で、筐体１１の段部１１ｈに掛止されている。このように、板状部材５０が段部１１ｈに掛止されていることにより、例えば、板状部材５０が第１ケース部１１ａの底壁１１ａａの周部に掛止された構成に比べて、照明装置全体の厚みを薄くすることができる。また、光源ユニット１０の光散乱部材１６の一部が、板状部材５０の下面５８ａから下方に突出している。
【００３３】
また、板状部材５０における、面５６と下面５８ａとの間の距離Ｔ１は、筐体１１における、段部１１ｈと光散乱部材１６の上端との間の距離Ｔ２に比べて長い。そして、板状部材５０が筐体１１の段部１１ｈに掛止された状態において、板状部材５０の面５６と内側端面５４と筐体１１とで囲まれた領域に、光拡散部材１６の周縁部１６ｃが配置されている。ここで、光散乱部材１６の周縁部１６ｃは、第１開口部５２ａの内側端面５４および面５６に対向している。
【００３４】
これにより、光散乱部材１６の周縁部１６ｃまで伝播してきた光が、板状部材５０の内側端面５４や面５６から板状部材５０の内部に入射する。板状部材５０の内部に入射した光は、板状部材５０の下面５８ａおよび上面５８ｂで全反射を繰り返しながら外側端面５３まで伝播し、外側端面５３から外部に放射される。
ここにおいて、前述のように、板状部材５０の開口部５２の内側に一部が配置される光散乱部材１６は、平面視円形である。そして、板状部材５０も、平面視円環状であり、開口部５２が平面視円形であり且つ中央部に設けられている。これにより、板状部材５０の径方向における内側端面５４から外側端面５３までの距離は、円周方向全体に亘って等しくなっている。即ち、光散乱部材１６の周縁部１６ｃから板状部材５０の外側端面５３に至る光の伝播距離が、円周方向全体に亘って等しくなっている。このため、外側端面５３から外部に放射される光の光量を外側端面５３全体に亘って均一にすることができるので、点灯中における照明装置１の外観向上を図ることができる。
【００３５】
また、板状部材５０は、透光性を有する樹脂材料やガラス、セラミックス等から形成されている。樹脂材料としては、例えば、アクリル樹脂、ポリカーボネート樹脂、ポリスチレン樹脂等が挙げられる。このように、板状部材５０は、透光性を有する材料から形成されていてもその鏡面部分では光を反射する。
なお、板状部材５０は、必ずしも透光性を有する材料のみからなるものに限定されるものではなく、板状部材５０の下面５８ａおよび上面５８ｂの少なくとも一方に、金属材料
からなる反射膜が設けられたものであってもよい。ここで、反射膜の厚みを適宜設定することにより、板状部材５０を下面５８ａ側から眺めたときに、上面５８ｂ側が透けて見えるいわゆるハーフミラー状にしてもよい。また、反射膜の厚みを厚くすることにより、光散乱部材１６から板状部材５０の下面５８ａに入射する光を略全反射するいわゆる鏡状にしてもよい。
【００３６】
＜２＞照明装置の光学的特性について
図１０（ａ）に、光源ユニット１０の光拡散部材１６のうち板状部材５０の下面５８ａから下方に突出した部位から放射される光の一部の光路図を示し、図１０（ｂ）に、点灯中の照明装置１を斜め下方から見た場合の外観を示す。
図１０（ａ）に示すように、照明装置１の点灯中、光拡散部材１６のうち板状部材５０の下面５８ａから下方に突出した部位（以下、「突出部位」と称する。）から放射される光の一部は、板状部材５０の下面５８ａに入射する。そして、ユーザＰが点灯中の照明装置１を下面５８ａ側（図１０（ａ）では斜め下側）から見上げている状態では、上記突出部位から板状部材５０の下面５８ａに入射した光が当該下面５８ａで反射してユーザＰに到達する（図１０（ａ）中の一点鎖線矢印参照）。
【００３７】
ここにおいて、図１０（ｂ）に示すように、ユーザＰには、実際の上記突出部位とともに、板状部材５０の下面５８ａに映った上記突出部位の虚像Ｖが見えることになる。従って、ユーザＰは、板状部材５０の下面５８ａに映った虚像Ｖが恰も光散乱部材１６を構成しているように錯覚する。その結果、点灯中の照明装置１が宙に浮かぶ発光部を有するような外観を呈し、ユーザＰに対して斬新な印象を与えることができる。
【００３８】
図１１（ａ）に、実施の形態に係る照明装置１の光学的特性を説明するための図を示す。
図１１（ａ）に示すように、虚像Ｖは、光拡散部材１６の上記突出部位の突出量Ｌ２と同じ量だけ下面５８ａから上方に突出した像となる。従って、ユーザＰにとって、照明装置１が恰も光拡散部材１６の突出量Ｌ２の２倍に相当する厚みＬ１の発光部を有するように見える。ここで、光拡散部材１６の突出量Ｌ２の２倍に相当する厚みＬ１が、光源ユニット１０の実際の厚みＬ０よりも薄くなるように突出量Ｌ２を設定したとする。すると、ユーザＰは、照明装置１の厚みが実際の厚みＬ０よりも薄いものと錯覚することとなる。
【００３９】
ところで、ユーザＰが照明装置１を斜め下方から見上げたときに、板状部材５０の上面５８ｂの上側に位置する部材がユーザＰの視界に入ると、ユーザＰは照明装置１の実際の厚みを認識しうることとなる。
そこで、本実施の形態に係る照明装置１では、板状部材５０の上面５８ｂの上側に位置する部材がユーザＰの視野から外れるように板状部材５０の大きさや配置が設定されている。これにより、ユーザＰは、照明装置１が恰も光散乱部材１６と板状部材５０のみから構成されるものと錯覚するので、照明装置１の厚みを実際の厚みよりも薄いものと感じる。
【００４０】
図１１（ｂ）に示すように、照明空間内におけるユーザＰ（特に、ユーザＰの頭）が存在し得る領域が、板状部材５０により板状部材５０の上面５８ｂの上側に位置する部材が見えなくなる領域ＡＲ内に含まれるように板状部材５０の大きさや配置が設定されている。この領域ＡＲは、カバー４０の上端と板状部材５０の上面５８ｂの周縁とを結ぶ直線Ｌｉ１（図１１（ｂ）中の二点鎖線参照）を照明装置１の中心軸Ｊ１（図１１（ｂ）中の一点鎖線参照）周りに回転して得られる円錐曲面の下側に位置する。
【００４１】
例えば、照明装置１の中心軸Ｊ１方向における、当該中心軸Ｊ１と直線Ｌｉ１との交点Ｐｏ１の板状部材５０の上面５８ｂからの距離をＬ３とし、板状部材５０の平面視における外周縁の半径をＲとする。また、立っているユーザＰの目の位置を含み且つ中心軸Ｊ１に直交する仮想平面Ｓから板状部材５０の上面５８ｂまでの距離をＬ４とする。この場合、仮想平面Ｓ内における領域ＡＲは、以下の式（１）で示される半径ｒの円形状の領域となる。
【００４２】
【数１】
2014130765.tif 000003
【００４３】
従って、例えば、照明装置１が吊り下げられる部屋の大きさが５ｍ×５ｍであれば、ｒは３．７５ｍに設定すれば十分である。そして、距離Ｌ３が４ｃｍとなるように板状部材５０が配置され、距離Ｌ４が８０ｃｍとなるように照明装置１が配置されているとすれば、Ｒは１９ｃｍ程度に設定すればよいこととなる。
また、照明装置１では、前述のように、光散乱部材１６のから板状部材５０の内部に入射した光が、板状部材５０の外側端面５３まで伝播してから外部に放射される。これにより、照明装置１の点灯中において、板状部材５０の外側端面５３がリング状に光を発することとなる。そして、照明装置１を下面５８ａ側から見上げているユーザＰには、点灯中の照明装置１が恰も光散乱部材１６と虚像Ｖとからなる発光部の周りにリング状の発光部が配置されているというより斬新な見え方をする。
【００４４】
このように、ユーザＰに対して点灯中の照明装置１の発光部の見え方を斬新なものとすることでその演出効果の向上を図ることができる。
＜３＞まとめ
結局、実施の形態に係る照明装置１では、板状部材５０の下面５８ａ全体が鏡面である。つまり、板状部材５０の下面５８ａにおける上記突出部位に最も近い領域を含む下面５８ａ全体が鏡面領域となっている。これにより、点灯中において上記突出部位が板状部材の上記一面に映る。ここにおいて、点灯中の照明装置１を下面５８ａ側から見上げているユーザＰには、実際の上記突出部位とともに、板状部材５０の下面５８ａに映った上記突出部位の虚像Ｖが見える。そして、ユーザＰには虚像Ｖが恰も発光部（光散乱部材１６）の一部を構成し、発光部全体が宙に浮かんでいるように見えるので、ユーザＰに対してユーザに対して点灯中における発光部の見え方が斬新な印象を与えることができる。つまり、意匠性に富んだ照明装置を実現することができる。
【００４５】
また、前述のように、ユーザＰは照明装置１の厚みが恰も上記突出部位の厚みの２倍程度の厚みＬ１であるものと錯覚する。従って、上記突出部位の突出量Ｌ２を実際の照明装置の厚みの１／２よりも小さくすることにより、ユーザＰに対して光源ユニット１０の厚みが実際の厚みＬ０よりも薄い印象を与えることもできる。
＜変形例＞
（１）実施の形態では、板状部材５０において薄肉部５１以外の部分の厚みが略均一である例について説明したが、板状部材５０の形状はこれに限定されるものではなく、例えば、板状部材の径方向において厚みが分布を持っているものであってもよい。
【００４６】
図１２（ａ）に、本変形例に係る照明装置２０１の側面図を示す。なお、実施の形態と同様の構成については同一の符号を付して適宜説明を省略する。
板状部材２５０の厚みは、径方向における最も内側が厚みＷ１であり、外側に行くにつれて漸次減少し、径方向における最も外側の厚みが厚みＷ１よりも薄い厚みＷ２となっている。つまり、板状部材２５０の厚みは、開口部２５２から径方向に離れるにつれて漸次減少している。
【００４７】
本構成によれば、点灯中、ユーザに対して、板状部材２５０の外側端面２５３に相当する位置に厚みＷ２に応じた太さのリング状の発光部が配置されているように見せることができる。そして、照明装置２０１の設計段階において厚みＷ２を適宜設計するだけで、点灯中における発光部（光散乱部材１６）の見え方のバリエーションを増やすことができる。従って、多様なユーザニーズそれぞれに応じた演出効果を奏する照明装置の実現が容易になる。
【００４８】
また、図１２（ｂ）に、本変形例に係る他の照明装置３０１の側面図を示す。なお、実施の形態と同様の構成については同一の符号を付して適宜説明を省略する。
板状部材３５０の肉厚は、径方向における最も内側（開口部３５２側）が厚みＷ１であり、開口部３５２から離れるにつれて漸次減少し、径方向における最も外側の厚みが略ゼロとなっている。
【００４９】
本構成によれば、点灯中、ユーザに対して、板状部材３５０の周縁部に相当する位置に、略線輪状の発光部が配置されているように見せることができる。
（２）本発明に係る照明装置では、例えば、板状部材の外側端面に光拡散処理が施されていてもよい。
図１３に、本変形例に係る照明装置４０１の側面図を示す。なお、実施の形態と同様の構成については同一の符号を付して適宜説明を省略する。
【００５０】
板状部材４５０の外側端面４５３には、複数の凹部４５３ａが形成されている。これにより、板状部材４５０の外側端面４５３まで導光してきた光が拡散しやすくなる。
本構成によれば、点灯中、板状部材４５０の外側端面４５３から放射される光をより広い範囲に配光させることができるので、照明空間の明るさ感を向上させることができる。
（３）実施の形態では、板状部材５０が平面視円環状、即ち、平面視における外周形状が円形である例について説明したが、これに限定されるものではなく、例えば、平面視における外周形状が角形であってもよい。
【００５１】
（４）実施の形態では、板状部材５０の下面５８ａ全体が鏡面である例について説明したが、これに限定されるものではない。例えば、板状部材５０の下面５８ａにおける開口部５２の周縁から開口部５２の周縁から板状部材５０の径方向に所定の距離だけ離間した部位までの間の領域だけ鏡面であり、その外側の領域は鏡面ではない（例えば、つや消し処理が施されている）ものであってもよい。また、実施の形態では、板状部材５０の上面５８ｂが鏡面である例について説明したが、上面５８ｂは必ずしも鏡面である必要はない。
【００５２】
（５）実施の形態では、板状部材５０を１つだけ備える例について説明したが、これに限定されるものではなく、例えば、複数の板状部材が光散乱部材１６の周囲に配置される構成であってもよい。また、複数の板状部材は、必ずしも互いに接触している必要はなく、隣り合う板状部材同士が互いに離間した状態で配置されているものであってもよい。
（６）実施の形態では、板状部材５０が開口部５２を有し、開口部５２の内側に光源ユニット１０が配置される例について説明したが、これに限定されるものではなく、例えば、光源ユニット１０全体が板状部材の下面側に配置されるものであってもよい。この場合、例えば、板状部材として、平面視円形状であり中央部にコード２０の外径よりも若干大きい径（コード２０が挿通できる程度の径）の貫通孔が設けられた板状部材を用いればよい。
【００５３】
本構成では、コード２０にカバー４０、板状部材および固定具３０の順に挿通した状態で光源ユニット１０に接続する。すると、板状部材は、その下面の一部が光源ユニット１０の筐体１１に固定された固定具３０上に載置される。なお、固定具３０の形状や構造は、特に限定されるものではなく、例えば、筐体１１の第２ケース部１１ｂの底壁１１ｂａに窪み部を形成し、固定具３０全体が当該窪み部の内側に配置される埋め込まれたものとし、およびカバー４０は、板状部材の上面に載置される。
【００５４】
（７）実施の形態では、板状部材５０の開口部５２が、板状部材５０の厚み方向に隣接して配置され且つ互いに径の異なる２つの開口部５２ａ，５２ｂからなる例について説明したが、開口部５２の形状はこれに限定されるものではない。例えば、板状部材５０の開口部が、板状部材５０の厚み方向において径が同じであってもよい。
本構成によれば、実施の形態に係る板状部材５０に比べて、板状部材を製造し易いという利点がある。
【００５５】
（８）実施の形態では、板状部材５０が透光性材料から形成される例について説明したが、板状部材５０の材料は透光性材料に限定されるものではなく、例えば、金属材料等から形成されるものであってもよい。
【符号の説明】
【００５６】
１      照明装置
１０    光源ユニット
１１    筐体
１１ｈ  段部
１２    発光モジュール
１３    反射部材
１４    導光部材
１６    光拡散部材（発光部の一部）
５０    板状部材
５８ａ  下面
【図１】
2014130765.tif 000004
【図２】
2014130765.tif 000005
【図３】
2014130765.tif 000006
【図４】
2014130765.tif 000007
【図５】
2014130765.tif 000008
【図６】
2014130765.tif 000009
【図７】
2014130765.tif 000010
【図８】
2014130765.tif 000011
【図９】
2014130765.tif 000012
【図１０】
2014130765.tif 000013
【図１１】
2014130765.tif 000014
【図１２】
2014130765.tif 000015
【図１３】
2014130765.tif 000016